(57)【要約】【課題】  光源に安定的な電源の供給が行われるディスプレイ装置及びその制御方法を提供する。【解決手段】  光源に電源を供給する可変電源供給部と；前記光源に直列で連結されているスイッチング部と；前記光源両端の電圧変化に対応して前記スイッチング部両端の電圧が一定に維持されるように前記可変電源供給部を制御する制御部とを含む。【選択図】図２
2007086778.tif 000002
【特許請求の範囲】
【請求項１】
複数の光源を含むディスプレイ装置において、
前記光源に電源を供給する可変電源供給部と；
前記光源に直列で連結されているスイッチング部と；
前記光源両端の電圧変化に対応して前記スイッチング部両端の電圧が一定に維持されるように前記可変電源供給部を制御する制御部とを含むことを特徴とするディスプレイ装置。
【請求項２】
前記制御部は、
前記光源の駆動状態によって複数の基準電圧を発生する基準電圧発生部と；
入力された前記スイッチング部両端の電圧と前記基準電圧とを比較する比較部とを含むことを特徴とする請求項１に記載のディスプレイ装置。
【請求項３】
前記スイッチング部両端の電圧が増加するほど前記光源両端の電圧は減少することを特徴とする請求項２に記載のディスプレイ装置。
【請求項４】
前記スイッチング部は電界效果トランジスタであり、
前記光源の初期駆動時、前記基準電圧発生部は前記電界效果トランジスタが飽和状態となる最小のドレイン−ソース間の電圧より大きいかまたは同一のレベルを有する第１基準電圧を発生させることを特徴とする請求項２に記載のディスプレイ装置。
【請求項５】
前記制御部は、前記スイッチング部両端の電圧が前記第１基準電圧より高い場合、直前に供給された電源より低い電源を前記光源に供給するように前記可変電源供給部を制御することを特徴とする請求項４に記載のディスプレイ装置。
【請求項６】
前記可変電源供給部は、直前に供給された電源より前記第１基準電圧の５〜１５％程度低い電源を前記光源に供給することを特徴とする請求項５に記載のディスプレイ装置。
【請求項７】
前記光源の正常駆動時、前記基準電圧発生部は、前記第１基準電圧より高いレベルの第２基準電圧、及び前記第１基準電圧より低いレベルの第３基準電圧を所定の週期ごとに順次に発生させることを特徴とする請求項２に記載のディスプレイ装置。
【請求項８】
前記制御部は、前記スイッチング部両端の電圧が前記第２基準電圧より高い場合、前記光源に電源供給を中断するように前記可変電源供給部を制御することを特徴とする請求項７に記載のディスプレイ装置。
【請求項９】
前記制御部は、前記スイッチング部両端の電圧が前記第３基準電圧より低い場合、前記光源に電源供給を中断するように前記可変電源供給部を制御することを特徴とする請求項７に記載のディスプレイ装置。
【請求項１０】
前記基準電圧発生部は、電圧分配のための抵抗ストリングと、前記抵抗ストリングに連結されている複数のスイッチとを含むことを特徴とする請求項２に記載のディスプレイ装置。
【請求項１１】
前記スイッチング部は、電界效果トランジスタ及び双極接合トランジスタのうちのいずれか一つを含むことを特徴とする請求項１に記載のディスプレイ装置。
【請求項１２】
前記スイッチング部と接地との間に連結されている電流感知抵抗をさらに含むことを特徴とする請求項１に記載のディスプレイ装置。
【請求項１３】
前記スイッチング部に流れる電流値を検出し、検出された電流値が所定範囲内にいるように前記スイッチング部を制御するフィードバック部をさらに含むことを特徴とする請求項１に記載のディスプレイ装置。
【請求項１４】
前記光源は発光ダイオードを含むことを特徴とする請求項１に記載のディスプレイ装置。
【請求項１５】
前記光源から放出された光を集束する照明系と、
前記照明系から光の提供を受けて映像を具現するディスプレイ素子と、
前記ディスプレイ素子によって具現された映像を拡大投射する投射系と、
投射された映像が表示されるスクリーンとをさらに含むことを特徴とする請求項１に記載のディスプレイ装置。
【請求項１６】
前記ディスプレイ素子は、ＤＭＤ素子、ＬＣＯＳ素子及びＬＣＤ素子のうちのいずれか一つを含むことを特徴とする請求項１５に記載のディスプレイ装置。
【発明の詳細な説明】
【技術分野】
【０００１】
本発明はディスプレイ装置に係り、より詳しくは、リニア方式で駆動電源が光源に供給されるＤＬＰ方式のディスプレイ装置に関する。
【背景技術】
【０００２】
ディスプレイ装置は、より向上した色再現のために光源の素材として、従来のＣＣＦＬ(冷陰極蛍光ランプ)を利用する方式から発光ダイオード(以下、LEDと言う)を利用する方式に変化する傾向にある。このようにＬＥＤ素子を利用した光源を具備するディスプレイ装置は、ＬＥＤ光源を利用するによって色再現の性能が向上する。
【０００３】
ＤＬＰ(デジタルライティングプロセッシング)方式の場合、映像を互いに異なる時間的長さを有する数枚のビットプレーンに分け、これを順次に表示する方式で画面を構成するため、各ビットプレーンに該当する光の強さが均一でなければならないという条件が伴われるようになる。このような条件が満たされない場合に、ＤＬＰディスプレイ装置が表示する階調の線形性が悪くなったり、階調が不安定になったりする問題があるため、ＬＥＤをＤＬＰディスプレイ装置の光源として用いるためには、ＬＥＤに流れる電流にスイッチング脈動のようなノイズがほとんどないように精密に制御しなければならない。
【０００４】
このように早い応答速度とノイズのない電源をディスプレイ装置に供給するために線形レギュレーター方式の電流源回路を使用して、つまり、リニア方式で電源を供給することが好ましい。しかし、リニア方式の場合、電圧の調節のために使用されるスイッチング部はＬＥＤの特性またはＬＥＤの個数が変更されるかまたはＬＥＤの散布に変化がある場合、ＬＥＤに流れる電流を制御する機能を喪失し得る。このようなＬＥＤの全ての変数を考慮してスイッチング部に十分な消費電力を供給することは、回路の発熱のような問題点を招く、電源供給回路への效率を減少させ、回路の制御を難しくするという短所がある。
【０００５】
また、ＬＥＤの短絡及びオープンに対する検出がきちんと行われない場合、ＬＥＤを適切に制御することができず、特に、ＬＥＤの短絡の場合、スイッチング部の過熱による火事などの危険が存在する。
【発明の開示】
【発明が解決しようとする課題】
【０００６】
そこで、本発明の目的は、光源に安定的な電源の供給が行われるディスプレイ装置を提供することになる。
【０００７】
また、本発明の他の目的は、光源の短絡及びオープンを検出することができるディスプレイ装置を提供することにある。
【課題を解決するための手段】
【０００８】
前記目的は、本発明によって、複数の光源を含むディスプレイ装置において、前記光源に電源を供給する可変電源供給部と；前記光源に直列で連結されているスイッチング部と；前記光源両端の電圧変化に対応して前記スイッチング部両端の電圧が一定に維持されるように前記可変電源供給部を制御する制御部とを含むディスプレイ装置によって達成される。
【０００９】
前記制御部は、前記光源の駆動状態によって複数の基準電圧を発生する基準電圧発生部と；入力された前記スイッチング部両端の電圧と前記基準電圧とを比較する比較部とを含むことができる。
【００１０】
スイッチング部と光源とは直列で連結されているので、前記スイッチング部両端の電圧が増加するほど前記光源両端の電圧は減少する。
【００１１】
前記スイッチング部は電界效果トランジスタであり、前記光源の初期駆動時、前記基準電圧発生部は前記電界效果トランジスタが飽和状態となる最小のドレイン−ソース間の電圧より大きいかまたは同一のレベルを有する第１基準電圧を発生させ、前記制御部は前記スイッチング部両端の電圧が前記第１基準電圧より高い場合、直前に供給された電源より低い電源を前記光源に供給するように前記可変電源供給部を制御することが好ましい。
【００１２】
検出された電圧が第１基準電圧より低くなる瞬間に検出された電圧と第１基準電圧との差が大きくないようにするために、前記可変電源供給部は直前に供給された電源より前記第１基準電圧の５〜１５％程度低い電源を前記光源に供給することが好ましい。
【００１３】
前記光源の正常駆動時、前記基準電圧発生部は前記第１基準電圧より高いレベルの第２基準電圧、及び前記第１基準電圧より低いレベルの第３基準電圧を所定の週期ごとに順次に発生させることができる。
【００１４】
前記制御部は、前記スイッチング部両端の電圧が前記第２基準電圧より高い場合、前記光源に電源供給を中断するように前記可変電源供給部を制御し、前記スイッチング部両端の電圧が前記第３基準電圧より低い場合、前記光源に電源供給を中断するように前記可変電源供給部を制御することが好ましい。
【００１５】
前記基準電圧発生部は、電圧分配のための抵抗ストリングと、前記抵抗ストリングに連結されている複数のスイッチとを含むことができる。
【００１６】
定電流回路を構成するために、前記スイッチング部は電界效果トランジスタ及び双極接合トランジスタのうちのいずれか一つを含むことが好ましい。
【００１７】
光源に印加される電流の制御のために、前記スイッチング部と接地との間に連結されている電流感知抵抗及び前記スイッチング部に流れる電流値を検出し、検出された電流値が所定の範囲内にいるように前記スイッチング部を制御するフィードバック部をさらに含むことが好ましい。
【００１８】
前記光源は発光ダイオードを含むことができる。
【００１９】
前記光源から放出された光を集束する照明系と、前記照明系から光の提供を受けて映像を具現するディスプレイ素子と、前記ディスプレイ素子によって具現された映像を拡大投射する投射系と、投射された映像が表示されるスクリーンとをさらに含むことが好ましい。
【００２０】
前記ディスプレイ素子は、ＤＭＤ素子、ＬＣＯＳ素子及びＬＣＤ素子のうちのいずれか一つを含むことができる。
【発明の効果】
【００２１】
本発明によれば、光源部に安定的な電源の供給が行われるディスプレイ装置が提供される。
【００２２】
また、光源の短絡及びオープンを検出することができるディスプレイ装置が提供される。
【発明を実施するための最良の形態】
【００２３】
以下、添付図面を参照して本発明について説明する。
【００２４】
図１は本発明の一実施形態によるディスプレイ装置の概略図であり、図示したように、ディスプレイ装置は、光源部１００、照明系２００、ディスプレイ素子であるＤＭＤ(デジタルマイクロミラー装置)３００、投射系４００、及びスクリーン５００を含む。
【００２５】
光源部１００は、映像をディスプレイするためのスクリーン５００に光を提供する機能を行い、本実施形態による光源部１００は、光源として赤色、緑色及び青色を発光する複数の発光ダイオード(LED)、１２０ａ、１２０ｂ、１２０ｃを含む。光源としてはＬＥＤが好ましいが、これに限定されない。
【００２６】
照明系２００はＲ、Ｇ、Ｂに分離した光を集束する。照明系２００によって均一な平行光に変え、集束されてＤＭＤ３００に進行するようになる。
【００２７】
ディスプレイ素子としては、ＣＲＴ(陰極線管)素子やＬＣＤ(液晶表示)素子及びＬＣＯＳ(リキッドクリスタルオンシリコン)素子が主に用いられてきており、本実施形態によるディスプレイ素子は、ＭＥＭＳ(マイクロエレクトロメカニカルシステム)技術を利用して微細な多数のミラーを含むＤＭＤ３００が用いられている。
【００２８】
ＤＭＤ３００は、二次元的に配列された多数の微細なミラーを持つピクセルからなり、各ピクセルに対応して配置されたメモリ素子の静電系作用によってミラーの傾斜を第１及び第２角度で駆動させ、反射光の角度を変化させることによってオン／オフ(On/Off)を制御する駆動原理を有する。そして、このようなＤＭＤ３００を利用する場合、他の形態のディスプレイ素子であるＬＣＤ素子及びＬＣＯＳ素子などの場合に比べ、素子の応答速度が早くて動画像をさらにスムーズで柔軟に再生することができる。
【００２９】
投射系４００は、ＤＭＤ３００によって具現された映像をスクリーン５００に拡大投射するように、複数のレンズなどで備えられる。
【００３０】
スクリーン５００は長方形の四角形状を有し、実質的に映像が表示される。
【００３１】
図２は本発明の一実施形態による光源部１００の制御ブロック図であり、図示したように、光源部１００は、光源１２０に電源を供給するために可変電源供給部１１０、光源１２０、光源１２０に直列で連結されているスイッチング部１３０、接地端と連結されている電流感知抵抗(Rs)１４０、スイッチング部１３０に連結されているフィードバック部１５０、制御部１６０、及び制御部１６０からの信号を平滑にするＬＰＦ(ローパスフィルタ)１７０を含む。
【００３２】
可変電源供給部１１０は光源１２０に定電流を供給するための電源ソースであり、制御部１６０によってスイッチング部１３０の両端に印加される電圧を一定に維持するための可変電源を光源１２０に出力する。可変電源供給部１１０は、光源１２０に印加できる最大の電圧より高いレベルから、光源１２０に印加できる最小の電圧より低いレベルまで、電源を可変させることができるのが好ましい。可変電源供給部１１０は、可変直流電圧源であることが好ましい。
【００３３】
光源１２０は、図１に示したように、赤色ＬＥＤ、緑色ＬＥＤ及び青色ＬＥＤである。光源１２０の含むＬＥＤはこれに限定されず、シアンを発光するシアンＬＥＤ、イエロを発光するイエロＬＥＤ、マゼンタを発光するマゼンタＬＥＤ、白色を発光する白色ＬＥＤなど多様な色のＬＥＤ３０をさらに含むことができる。
【００３４】
スイッチング部１３０は光源１２０と直列で連結されており、可変電源供給部１１０から提供される定電流を消耗する可変抵抗の役割をする。スイッチング部１３０は定電流回路に一般的に用いられる電界效果トランジスタ(FET)及び双極（バイポーラ）接合トランジスタ（BJT）のうちの一つを含むことが好ましい。ＦＥＴのゲート電極またはＢＪＴのベース端に印加される信号を調節して、コレクタ−エミッタまたはドレイン−ソースに流れる電流を制御することができるので、ＦＥＴ及びＢＪＴが含まれている回路を利用すれば、ＤＬＰ方式のディスプレイ装置の光源に非常に早いスイッチング速度でノイズなしに精密に電源を供給、制御することができる。ＦＥＴを一例として説明すれば、飽和領域でＦＥＴのドレイン−ソースに流れる電流は、ドレイン−ソース間に印加される電圧と無関係に一定の値を維持する性質があるので、これを利用して定電流を発生させることができる。
【００３５】
電流感知抵抗１４０はスイッチング部１３０と接地端との間に連結されており、スイッチング部１３０に流れる電流ｉｏの量を感知する役割をする。電流感知抵抗１４０の抵抗値は非常に小さいため、電流感知抵抗１４０の両端に印加される電圧ＶＲは無視するほどのものであることが一般的である。光源１２０、スイッチング部１３０及び電流感知抵抗１４０は全て直列で連結されているので、各素子を流れる電流ｉｏの量は同一である。
【００３６】
電流感知抵抗１４０は、光源１２０及びスイッチング部１３０を流れる電流ｉｏを検出するために簡単に抵抗だけからなるものであり、電流ｉｏを検出するためにホールセンサなどを含んだ電流検出回路が用いられることもできる。
【００３７】
光源１２０、スイッチング部１３０及び電流感知抵抗１４０の配列は図示されたものに限定されず、連結順序は変形され得る。
【００３８】
フィードバック部１５０は、スイッチング部１３０に流れる電流ｉｏを検出し、制御部１６０から一定の基準になる所定範囲の電流値Ｉｒの入力を受け、検出された電流の量が所定範囲内にいるようにスイッチング部１３０を制御する。可変電源供給部１１０から供給される電源の量が全体光源１２０の順方向の電圧降下ＶＬよりある程度以上に高く維持される限り、スイッチング部１３０の特性や供給される電源及び光源１２０の順方向の電圧降下ＶＬと無関係に検出された電流ｉｏを所定範囲内にいるように制御することが可能である。所定範囲の電流値Ｉｒに対する制御信号は、制御部１６０ではないディスプレイ素子のような外部から印加を受けることも可能である。
【００３９】
制御部１６０は、基準電圧発生部１６１及び比較部１６３を含み、光源１２０両端の電圧ＶＬの変化に対応して、スイッチング部１３０両端の電圧Ｖｔが一定に維持されるように可変電源供給部１１０を制御する。
【００４０】
一般的に、リニア方式の電源供給装置においてスイッチング部１３０に該当する可変抵抗部は、光源１２０両端に電圧ＶＬによって異なる電圧Ｖｔが印加される。スイッチング部１３０に印加される電圧Ｖｔは、供給される電源の電圧レベルから光源１２０が印加される電圧を引いた値に相当する値であって、Ｖｔが増加するほどスイッチング部１３０で消耗する電力が増加するようになる。例えば、最初に設計したものより電圧降下が低い光源１２０を用いたり、光源１２０の個数が減少したり、時間が経つことによって光源１２０の特性が変化または損傷されてＶＬが減少すれば、その分だけＶｔが増加されるので、スイッチング部１３０の電力損失が招来され、電流ｉｏの制御が難しくなる。
【００４１】
従って、本発明は、どんな環境の変化または光源１２０の特性の変更に対応する変数があっても、スイッチング部１３０の両端の電圧を一定に維持するために、光源１２０に供給される電源自体を可変させることを特徴とする。スイッチング部１２０両端の電圧は全力消耗を最小化するための電圧レベルに設定される。
【００４２】
基準電圧発生部１６１は、光源１２０の駆動状態によって相異なる複数の基準電圧を発生する。本実施形態による基準電圧発生部１６１は、光源１２０の初期駆動時に第１基準電圧Ｖ１を、正常駆動時に第２基準電圧Ｖ２及び第３基準電圧Ｖ３を周期的に発生させる。ここで、第１基準電圧Ｖ１とは、ＦＥＴが飽和状態になる最小のドレイン−ソース間の電圧を意味する。つまり、第１基準電圧は、光源１２０を流れる電流ｉｏを安定的に制御することができ、かつ全力の消耗を最小化させる値に設定される。第２及び第３基準電圧Ｖ２、Ｖ３は、光源１２０が正常に駆動される段階で光源１２０の短絡及びオープンを検出するための基準電圧である。光源１２０の短絡を検出するための第２基準電圧Ｖ２のレベルは第１基準電圧Ｖ１より高く、光源の１２０のオープンを検出するための第３基準電圧Ｖ３は第１基準電圧Ｖ１より低いレベルに設定される。
【００４３】
図３は基準電圧発生部１６１が生成する基準電圧の波形を示した図であり、図４は本実施形態による基準電圧発生部１６１を示した図である。図３に示したように、駆動初期には第１基準電圧Ｖ１が出力され、これを基準として可変電源供給部１１０で供給する電源の量が制御され、以後電源状態が安定されて光源１２０が正常に駆動するようになれば、光源１２０の短絡を検出する第２基準電圧Ｖ２と、光源１２０のオープンを検出する第３基準電圧Ｖ３とが一定の周期を有して発生する。光源１２０が短絡されれば、短絡されなかった時より多い量の電力がスイッチング部１３０で消耗されるので、第２基準電圧Ｖ２は正常な基準電圧Ｖ１より高く、光源１２０がオープンされれば、そうでない時より少ない量の電力がスイッチング部１３０で消耗されるので、第３基準電圧Ｖ３は正常な基準電圧Ｖ１より低い。
【００４４】
基準電圧発生部１６１は、図４に示したように、電圧分配のための複数の抵抗Ｒ１、Ｒ２、Ｒ３、Ｒ４が連結されている抵抗ストリング、及び抵抗Ｒ１、Ｒ２、Ｒ３、Ｒ４の間に連結されているスイッチＳＷ１、ＳＷ２を含む。
【００４５】
スイッチＳＷ１、ＳＷ２は所定の制御信号によってオン／オフされ、スイッチＳＷ１、ＳＷ２のオン／オフによって出力される基準電圧のレベルが変わる。複数の抵抗Ｒ１、Ｒ２、Ｒ３、Ｒ４の抵抗値が全て同一であると仮定し、抵抗ストリングに入力される電圧をＶとする。スイッチＳＷ１、ＳＷ２がいずれもオープンされる場合に出力される基準電圧は、Ｖ×（Ｒ２、Ｒ３、Ｒ４）／（Ｒ１、Ｒ２、Ｒ３、Ｒ４）＝Ｖ×３／４で最も高いレベルを有し、Ｒ２とＲ３に連結されているスイッチＳＷ１がオンになる場合に出力される基準電圧は、Ｖ×Ｒ２／（Ｒ１＋Ｒ２）＝Ｖ×１／２で最も低いレベルを有し、Ｒ３とＲ４に連結されているスイッチＳＷ２がオンになる場合に出力される基準電圧は、Ｖ×（Ｒ２＋Ｒ３）／（Ｒ１＋Ｒ２＋Ｒ３）＝Ｖ×２／３である。このように出力される基準電圧は順序に第２基準電圧Ｖ２、第３基準電圧Ｖ３及び第１基準電圧Ｖ１に対応する。
【００４６】
基準電圧発生部１６１は、上述した抵抗ストリング及びスイッチで構成された電圧分配回路に限定されず、ＰＷＭ信号を受信してフィルタリングする方式で具現されるが、これと類似な方式で変形されることが可能である。また、このような基準電圧発生部１６１は、全体光源１２０に対して共通で使用されることも可能であり、特定の色を発光する光源１２０別に具備されることも可能である。
【００４７】
比較部１６３は、入力されたスイッチング部１３０両端の電圧と基準電圧発生部１６１から出力された基準電圧とを比較する。本実施形態においては、比較部１６３に入力されるスイッチング部１３０の電圧は、Ｖｔではない接地端からスイッチング部１３０にかかる電圧Ｖｄである。電流感知抵抗１４０の抵抗値が非常に小さいため、電流感知抵抗１４０両端の電圧は無視するほど小さい。従って、検出の容易性のために接地端からスイッチング部１３０に印加される電圧Ｖｄが比較部１６３に入力されるように設計する。光源１２０とスイッチング部１３０が直列で連結されているので、スイッチング部１３０の電圧Ｖｄが増加するほど光源１２０両端の電圧ＶＬは減少することと判断される。
【００４８】
比較部１６３を通じ、スイッチング部１３０の電圧と基準電圧発生部１６１から出力された基準電圧との比較結果が認識されれば、制御部１６０は可変電源供給部１１０を調節するための制御信号を出力する。
【００４９】
ＬＰＦ１７０は、制御部１６０から入力を受けた制御信号を可変電源供給部１１０がリードするように変換させる役割をする。本実施形態による制御部１６０は、ＤＳＰ(デジタル信号プロセッサ)またはＦＰＧＡ(フィールドプログラマブルゲートアレー)などで構成されるデジタルロジッグであり、ＬＰＦ１７０はこのような制御部１６０から出力されるＰＷＭ信号をフィルタリングして直流成分を抽出する役割をする。
【００５０】
ＬＰＦ１７０の代わりにデジタル信号をアナログに変換させるＤＡＣ(デジタルアナログ変換器)が使用されることもでき、必要に応じて制御部１６０に入力される信号をデジタル信号に変化させるＡＤＣ(アナログデジタル変換器)が使用されることもできる。また、制御部１６０は、デジタルでないアナログ回路と設計されることも可能である。
【００５１】
以下、図５及び図６を参照して、本実施形態による光源の電源制御を説明する。図５はディスプレイ装置の初期駆動時の光源１２０が電源を制御する方法であり、図６はディスプレイ装置の正常駆動時の光源１２０のオープン及び短絡を検出する制御方法に関する。
【００５２】
まず、ディスプレイ装置に初期電源が供給されれば、光源１２０にも電源が供給される（Ｓ１）。制御部１６０の基準電圧発生部１６１は第１基準電圧Ｖ１を発生させ（Ｓ２）、比較部１６３は入力された電圧Ｖｄと第１基準電圧Ｖ１とを比較する（Ｓ３）。
【００５３】
比較の結果、入力された電圧Ｖｄが第１基準電圧Ｖ１より高い場合、制御部１６０はスイッチング部１３０に印加される電圧を低めるために所定の制御信号を出力し、可変電源供給部１１０は最初に供給された電源より低い電源を出力する（Ｓ４）。可変電源供給部１１０で調節される電源の大きさは、第１基準電圧Ｖ１より充分に低いことが好ましい。つまり、検出された電圧Ｖｄが第１基準電圧Ｖ１より低くなる瞬間に検出された電圧Ｖｄと、第１基準電圧Ｖ１との差が大きくないようにするために、可変電源供給部１１０は初期に提供された電源より第１基準電圧Ｖ１の５〜１５％程度低い電源を供給する。
【００５４】
調節された電源が供給された後、また電圧Ｖｄを検出し、これを第１基準電圧Ｖ１と比較する（Ｓ５）。比較の結果、検出された電圧Ｖｄが第１基準電圧Ｖ１より低ければ、光源１２０に供給される電源が安定したことと判断し、光源１２０を正常に駆動させる（Ｓ６）。
【００５５】
一方、検出された電圧Ｖｄが第１基準電圧Ｖ１より高い場合、可変電源供給部１１０の電源を調節する余地があるか否かを判断する（Ｓ７）。つまり、供給される電源を充分に低め、これ以上可変電源を調節することができないにもかかわらず、検出される電圧Ｖｄが第１基準電圧Ｖ１より高ければ、この場合制御部１６０は複数の光源１２０が少なくとも部分的に短絡されたことと判断し（Ｓ８）、電源の供給を中断する（Ｓ１０）。
【００５６】
再び３段階に戻って説明すれば、初期に供給された電源が充分に大きくて、比較部１６３に入力される電圧Ｖｄが第１基準電圧Ｖ１より高くなければならないにもかかわらず、入力された電圧Ｖｄが第１基準電圧Ｖ１より低い場合、制御部１６０は複数の光源１２０が少なくとも部分的にオープンされたことと判断し（Ｓ９）、電源の供給を中断する（Ｓ１０）。
【００５７】
このような過程を通じて光源１２０が初期に駆動される場合、安定的に電源が供給できる。
【００５８】
次に、光源１２０が正常に駆動されているうちに電源の制御を見れば、基準電圧発生部１６１は第１基準電圧Ｖ１より高い第２基準電圧Ｖ２を発生させ（Ｓ１１）、比較部１６３は第２基準電圧Ｖ２と検出された電圧Ｖｄとを比較する（Ｓ１２）。
【００５９】
比較の結果、検出された電圧Ｖｄが第２基準電圧Ｖ２より高い場合、光源１２０の短絡と判断し（Ｓ１７）、電源の供給を中断する（Ｓ１８）。
【００６０】
一方、検出された電圧Ｖｄが第２基準電圧Ｖ２より低い場合、光源１２０の短絡がないことと判断し、所定の期間が経過した後（Ｓ１３）第１基準電圧Ｖ１より低い第３基準電圧Ｖ３を発生させる（Ｓ１４）。第３基準電圧Ｖ３と検出された電圧Ｖｄとを比較して（Ｓ１５）、検出された電圧Ｖｄが第３基準電圧Ｖ３より高い場合、また第２基準電圧Ｖ２を発生させるためにＳ１１段階に戻り、検出された電圧Ｖｄが第３基準電圧Ｖ３より低い場合、光源１２０のオープンと判断し（Ｓ１６）、電源の供給を中断する（Ｓ１８）。光源１２０の正常な駆動中にも持続的に光源１２０の短絡及びオープンを検査することができるので、問題点が生じた場合に電源を制御することができる效果がある。
【００６１】
たとえ本発明のいくつかの実施形態が図示されて説明されたが、本発明が属する技術分野の通常の知識を有する当業者であれば、本発明の原則や精神から逸脱せずにスイッチング部の電圧を安定化させるために供給される電源を可変させる本実施形態を変形することができることが分かる。発明の範囲は添付された請求項とその均等物によって決められなければならない。
【図面の簡単な説明】
【００６２】
【図１】本発明の一実施形態によるディスプレイ装置の概略図である。
【図２】本発明の一実施形態による光源部の制御ブロック図である。
【図３】本発明の一実施形態による基準電圧発生部の出力波形を示した図である。
【図４】本発明の一実施形態による基準電圧発生部の概略図である。
【図５】本発明の一実施形態によるディスプレイ装置の初期駆動時の光源の電源制御を説明するための制御流れ図である。
【図６】本発明の一実施形態によるディスプレイ装置の正常駆動時の光源の電源制御を説明するための制御流れ図である。
【符号の説明】
【００６３】
１００  光源部
１２０  光源
１２０ａ、１２０ｂ、１２０ｃ  発光ダイオード
１３０  スイッチング部
１６０  制御部
１６３  比較部
２００  照明系
３００  ＤＭＤ
４００  投射系
５００  スクリーン
【図１】
2007086778.tif 000003
【図２】
2007086778.tif 000004
【図３】
2007086778.tif 000005
【図４】
2007086778.tif 000006
【図５】
2007086778.tif 000007
【図６】
2007086778.tif 000008